(57)【要約】【課題】吸引チューブの不用意な抜け出しを防止した状態で吸引チューブを確実に保持することができる吸引チューブ用保持具を提供する。【解決手段】医療用吸引器２に接続された吸引チューブ３を保持する吸引チューブ用保持具１であって、一方端に形成された開口部１２から吸引チューブ３が挿入され、吸引チューブ３の吸引方向上流端部を収容する筒状の胴部１０と、胴部１０の他方端１７に設けられて胴部１０の内部に向かって突出し、吸引チューブ３の吸引方向上流端で開口する吸引口９に嵌合する突起１１とを備える。【選択図】図４
2014204750.tif 000002
【特許請求の範囲】
【請求項１】
医療用吸引器に接続された吸引チューブを保持する吸引チューブ用保持具であって、
一方端に形成された開口部から前記吸引チューブが挿入され、該吸引チューブの吸引方向上流端部を収容する筒状の胴部と、該胴部の他方端に設けられて該胴部の内部に向かって突出し、前記吸引チューブの吸引方向上流端で開口する吸引口に嵌合する突起とを備えることを特徴とする吸引チューブ用保持具。
【請求項２】
前記突起は、その少なくとも一部に、前記吸引チューブの吸引口に気密に嵌合する部分を有していることを特徴とする請求項１記載の吸引チューブ用保持具。
【請求項３】
前記突起は、その先端から基端に向かって外径が次第に大となる形状を有していることを特徴とする請求項１又は２記載の吸引チューブ用保持具。
【請求項４】
前記胴部は、その一方端の開口部の内径が他方端側の内径より大きく、該開口部から挿入した前記吸引チューブの吸引方向上流端を他方端の突起に向かって案内すべく、一方端から他方端にかけて内径が連続して次第に小さくなる案内傾斜を備えることを特徴とする請求項１〜３の何れか１項記載の吸引チューブ用保持具。
【発明の詳細な説明】
【技術分野】
【０００１】
本発明は、医療用吸引器に接続された吸引チューブを保持する吸引チューブ用保持具に関する。
【背景技術】
【０００２】
一般に、医療現場では患者の痰や鼻汁等の分泌物を吸引するために医療用吸引器が用いられる。この種の医療用吸引器は、陰圧吸引用の電動ポンプと、吸引物（痰や鼻汁等）を採取する吸引物採取容器と、吸引物採取容器を介して電動ポンプの吸引力が付与される吸引チューブとを備えている。
【０００３】
医療用吸引器を起動させると、電動ポンプの吸引力により吸引物採取容器を経て吸引チューブの先端（吸引方向上流端）の吸引口が負圧になり、吸引口から痰や鼻汁等が吸引される。このとき、吸引チューブを介して吸引された吸引物は、吸引物採取容器に落下して採取される。
【０００４】
ところで、吸引が終了した吸引チューブの先端部を露出状態で放置すると、吸引チューブに付着している吸引物が他の物に付着し、或いは飛散して周囲を汚染するおそれがある。
【０００５】
そこで、従来、吸引が終了した吸引チューブの先端部を差し込んで保持する保持具を用いることが知られている（特許文献１参照）。
【０００６】
これによれば、保持具に保持された吸引チューブの先端部への外部からの接触が防止され、吸引物の他の物への付着や飛散を防止することができる。
【先行技術文献】
【特許文献】
【０００７】
【特許文献１】実用新案登録第３０６７９０５号公報
【発明の概要】
【発明が解決しようとする課題】
【０００８】
しかし、吸引が終了した吸引チューブを保持具に差し込むとき、保持具の内径が小さい場合に円滑に差し込むことができず、保持具の周囲の物に吸引チューブの先端部が接触して吸引物が付着するおそれがある。
【０００９】
そこで、保持具の内径を大きく形成して吸引チューブを容易に差し込めるようにすることが考えられるが、保持具の内径が大きいことによって、保持具による吸引チューブの先端部の規制が不十分となり、吸引チューブの姿勢が安定しなくなる不都合がある。このため、吸引チューブの先端部が保持具に収容されていても、保持具から露出している先端部以外の部分に軽く接触した程度で吸引チューブの先端部が保持具から抜け出てしまい、吸引物の他の物への付着や飛散が生じるおそれがある。
【００１０】
上記の点に鑑み、本発明は、吸引チューブの不用意な抜け出しを防止した状態で吸引チューブを確実に保持することができる吸引チューブ用保持具を提供することを目的とする。
【課題を解決するための手段】
【００１１】
かかる目的を達成するために、本発明は、医療用吸引器に接続された吸引チューブを保持する吸引チューブ用保持具であって、一方端に形成された開口部から前記吸引チューブが挿入され、該吸引チューブの吸引方向上流端部を収容する筒状の胴部と、該胴部の他方端に設けられて該胴部の内部に向かって突出し、前記吸引チューブの吸引方向上流端で開口する吸引口に嵌合する突起とを備えることを特徴とする。
【００１２】
吸引が終了した吸引チューブを、本発明の吸引チューブ用保持具に保持させるときには、胴部の一方端の開口部から吸引チューブを挿入し、胴部の他方端の突起を吸引チューブの吸引口に嵌合させる。このとき、医療用吸引器が作動状態で吸引チューブに吸引力が付与されていれば、吸引チューブの吸引口から突起を吸い込む作用により、吸引チューブの吸引口を突起に押し付ける等の動作を行うことなく、極めて容易に突起を吸引口に嵌合させることができる。
【００１３】
そして、突起を吸引口に嵌合させることにより、胴部から吸引チューブが不用意に抜け出すことが防止でき、吸引チューブの保持状態が確実に維持される。従って、吸引チューブの吸引方向上流端部に付着する吸引物が他の物に付着したり飛散したりといった事態を防止することができる。
【００１４】
また、本発明において、前記突起は、その少なくとも一部に、前記吸引チューブの吸引口に気密に嵌合する部分を有していることが好ましい。
【００１５】
医療用吸引器においては、例えば、患者の痰を吸引中に吸引チューブの吸引口が気道に吸着したときに過剰な吸引抵抗を検知して吸引を停止させる制御を行っているものがある。
【００１６】
このような医療用吸引器が用いられているとき、突起が吸引チューブの吸引口に気密に嵌合することで、医療用吸引器に対して過剰な吸引抵抗を検知させることができる。即ち、吸引が終了した吸引チューブを胴部に挿入し、吸引口が突起を吸い込むようにして嵌合すると、吸引口が突起によって気密に閉塞された状態となる。この閉塞状態を検知した医療用吸引器は使用者による停止に係るスイッチ操作等を待たずに即座に停止する。これにより、医療用吸引器の電力消費や騒音を抑えることができるだけでなく、作業者による医療用吸引器の停止操作のし忘れも防止できる。
【００１７】
また、本発明において、前記突起は、その先端から基端に向かって外径が次第に大となる形状を有していることが好ましい。これによれば、突起の外径が小さい側から吸引チューブの吸引口に入り込むので、突起の吸引口への嵌合が円滑に行われる。
【００１８】
更に、吸引チューブの吸引口の内径寸法が異なっても、突起の先端から基端の間の何れかの位置で嵌合させることができる。従って、例えば、外径の異なる突起を有する複数種の吸引チューブ用保持具を用意しておき、使用する吸引チューブの吸引口に合致する吸引チューブ用保持具に交換するといった作業を行う手間がなく、使い勝手のよい吸引チューブ用保持具を提供することができる。
【００１９】
また、本発明において、前記胴部は、その一方端の開口部の内径が他方端側の内径より大きく、該開口部から挿入した前記吸引チューブの吸引方向上流端を他方端の突起に向かって案内すべく、一方端から他方端にかけて内径が連続して次第に小さくなる案内傾斜を備えることが好ましい。
【００２０】
本発明によれば、吸引チューブの吸引口に突起が嵌合することにより、例えば、胴部からの吸引チューブの抜け出しを防止した状態で、胴部の開口部の内径を適度に大きくすることができる。これにより、胴部の比較的大きい内径の開口部から吸引チューブを容易に挿入することができる。更に、前記案内傾斜により、吸引チューブの吸引方向上流端が突起に向かって確実に案内されるので、胴部への吸引チューブの挿入操作を極めて円滑に行うことができる。
【図面の簡単な説明】
【００２１】
【図１】本発明の実施形態における吸引チューブ用保持具の使用状態を示す説明図。
【図２】本実施形態の吸引チューブ用保持具を示す説明的側面図。
【図３】本実施形態の吸引チューブ用保持具の平面図。
【図４】本実施形態の吸引チューブ用保持具による吸引チューブの保持状態を示す断面図。
【発明を実施するための形態】
【００２２】
本発明の一実施形態を図面に基づいて説明する。吸引チューブ用保持具１（以下、保持具という）は、図１に示すように、医療用吸引器２（以下、吸引器という）から延びる吸引チューブ３の先端部を差し込んで保持する。
【００２３】
吸引器２は、患者の近傍にあって、載置台４に載置されている。載置台４には、支持部材５を介して本実施形態の保持具１が取り付けられている。
【００２４】
吸引器２は、陰圧吸引用の電動ポンプ（図示せず）が内蔵された吸引器本体６と、吸引器本体６に着脱自在に保持された吸引物採取容器７とを備えている。吸引器本体６からは、電動ポンプに接続された接続管８が延びている。この接続管８には、吸引物採取容器７が接続されている。
【００２５】
更に、吸引物採取容器７には、患者の口腔或いは鼻腔などに挿入される吸引チューブ３が接続されている。電動ポンプの動作により吸引物採取容器７の内部が負圧になると、吸引チューブ３の先端の吸引口９（図４参照）から患者の痰や鼻汁等が吸引され、吸引物採取容器７の内部に溜まる。
【００２６】
吸引が終了した吸引チューブ３は、患者の体腔内壁や唾液、痰、鼻汁、体液等に接触して汚染された先端部（吸引方向上流端部）が保持具１に挿入されて保持される。これにより、吸引チューブ３の汚染された先端部が外部の物等に接触することがなく、衛生が維持される。なお、使用後の保持具１は吸引チューブ３と共に廃棄（焼却）される。
【００２７】
次に、保持具１の構成について説明する。保持具１は合成樹脂により形成され、図２に示すように、筒状の胴部１０と、胴部１０の軸線に沿ってその内部に突出する突起１１とを備えている。
【００２８】
胴部１０は、最上部に位置して上端に開口部１２が形成された大径筒部１３と、大径筒部１３の下端に段差を介して連設された連結筒部１４と、連結筒部１４の下縁に連設されて内径が下方に向かって連続して次第に小さくなる案内筒部１５（案内傾斜）と、案内筒部１５の下縁に連設された小径筒部１６と、小径筒部１６の下端を閉塞する底部１７（胴部の他方端）とによって構成されている。
【００２９】
図３に示すように、大径筒部１３と小径筒部１６とは同心に形成されている。連結筒部１４の外周面には、互いに対向する一対の第１平坦面１８と、両第１平坦面１８の対向方向に直交して互いに対向する第２平坦面１９とが形成されている。更に、図３及び図４に示すように、両第１平坦面１８の夫々には係止凹部２０が形成されている。係止凹部２０には、後述する支持部材５の第１受け部２１が係止する。
【００３０】
突起１１は、図３に示すように、小径筒部１６と同心に設けられ、図４に示すように、胴部１０の底部１７に一体に設けられている。また、突起１１は、その上半部が、先端（図中の上端）から基端（図中の下端）に向かって次第に拡径する略円錐形状とされ、下半部が、同一外径となって基端に至る円柱状とされている。そして、突起１１の下半部は吸引チューブ３の吸引口９の内径と同じか、或いは僅かに大きく形成されている。よって、本実施形態においては、突起１１の下半部に、吸引チューブ３の吸引口９に対して気密に嵌合する部分が存在する。
【００３１】
ここで、図１に示す状態に保持具１を支持している支持部材５について簡単に説明する。支持部材５は、図１に示すように、載置台４の端縁部にねじ止め等の固定手段により取り外し自在に固定されている。
【００３２】
支持部材５は、図２において一部を仮想線で示すように、一部を不連続とした四角環状の第１受け部２１と、第１受け部２１の下方に位置して一部を不連続とした円環状の第２受け部２２とを備えている。第１受け部２１と第２受け部２２とは線ばね材によって形成されており、所定の力を付与することによって弾発的に拡開可能となっている。
【００３３】
第１受け部２１は胴部１０の連結筒部１４を支持し、第２受け部２２は胴部１０の案内筒部１５を支持する。このとき、第１受け部２１は、第１平坦面１８の係止凹部２０に係合して、保持具１の脱離を防止する。なお、第１受け部２１が線ばね材によって形成されていることにより、保持具１の取り付け及び取り外しが容易に行えるようになっている。
【００３４】
次に、上記のように構成された保持具１の作用について説明する。吸引を終了した吸引チューブ３は、保持具１の開口部１２から胴部１０内に挿入される。このとき、開口部１２の内径が比較的大きいことにより、吸引チューブ３を的確に開口部１２に差し込むことができる。
【００３５】
胴部１０に差し込まれた吸引チューブ３を、胴部１０の底部１７に向かって更に差し込むと、吸引チューブ３の先端部は、案内筒部１５の内面によって突起１１に向かって確実に案内される。これにより、開口部１２を大きくしても、吸引チューブ３の吸引口９を確実に突起１１に到達させることができる。
【００３６】
そして、吸引チューブ３の吸引口９は、図４に示すように、突起１１に嵌合する。このとき、吸引器２（図１参照）の吸引力により、吸引チューブ３の吸引口９が負圧になっているため、突起１１は吸引チューブ３の吸引口９に吸い込まれるようにして嵌まり込む。これにより、作業者は、吸引チューブ３の位置を突起１１に合わせて押し付け嵌合させるといった作業を行うことなく、吸引チューブ３を胴部１０の開口部１２から胴部１０の底部１７に向かって差し込む動作を行うだけで、突起１１を吸引チューブ３の吸引口９に確実に嵌合させることができる。
【００３７】
そして、吸引チューブ３は、その吸引口９が突起１１と嵌合していることにより、保持具１の胴部１０から外れ難い状態となっている。よって、吸引チューブ３が胴部１０から不用意に抜け出して他の物に接触するといた事態を防止することができる。
【００３８】
また、突起１１は、吸引チューブ３の吸引口９に対して気密に嵌合する部分が存在するので、吸引器２において、患者の痰を吸引中に吸引チューブ３の吸引口９が気道に吸着したときに過剰な吸引抵抗を検知して電動ポンプへの給電を停止させる制御が行われている場合には、吸引チューブ３の吸引口９が突起１１に嵌合した時点でその閉塞を検知した吸引器２が自動的に停止する。これにより、吸引器２の電力消費や騒音の低減が図れると共に、作業者による医療用吸引器の停止操作（停止スイッチの操作等）の忘れも防止できる。
【符号の説明】
【００３９】
１…吸引チューブ用保持具、２…医療用吸引器、３…吸引チューブ、９…吸引口、１０…胴部、１１…突起、１２…開口部、１５…案内筒部（案内傾斜）、１７…底部（胴部の他方端）。
【図１】
2014204750.tif 000003
【図２】
2014204750.tif 000004
【図３】
2014204750.tif 000005
【図４】
2014204750.tif 000006